(57)【要約】【課題】クレジットカードの代替として移動可能端末を用いて決済を行う。【解決手段】店舗１００にて購入者が物品を購入する際、店舗サーバ１２０より購入物品情報が決済センタサーバ３００に伝達される。決済センタサーバ３００にてこの決済に対して一意の購入者識別番号が生成され店舗サーバ１２０に伝達される。購入者が該購入者識別番号を店舗１００より受け取り、購入者操作用移動可能端末２００に入力し決済センタサーバ３００へ送出すると、購入物品情報が購入者操作用移動可能端末２００に伝達される。購入者が購入者操作用移動可能端末２００にクレジットカード会員番号等の決済用認証情報を入力する。該決済用認証情報が決済センタサーバ３００を介してクレジット会社センタサーバ４００に伝達され認証される。その認証結果が決済センタサーバ３００を介して店舗サーバ１２０に伝達される。【選択図】      図１
2004171276.tif 000002
【特許請求の範囲】
【請求項１】
各々通信手段を有している店舗サーバと移動可能端末と中継サーバと認証サーバとからなる移動可能端末利用決済システムにおいて、
決済手続に係る購入物品情報が前記店舗サーバから前記中継サーバへ伝達されたのち、前記移動可能端末に伝達され、
前記購入物品情報に対応する決済用認証情報が前記移動可能端末に入力されたのち、前記移動可能端末から前記中継サーバを介して前記認証サーバに伝達され、
前記認証サーバにて前記決済用認証情報が認証され、
前記認証サーバから前記中継サーバを介して前記店舗サーバに認証結果情報が伝達され
ることにより決済手続を行うことを特徴とする移動可能端末利用決済システム。
【請求項２】
前記決済手続を特定可能な一意の決済識別情報が生成され、
該決済識別情報が前記移動可能端末に伝達され、さらに前記移動可能端末から前記中継サーバへ伝達され
ることを特徴とする請求項１記載の移動可能端末利用決済システム。
【請求項３】
前記決済識別情報が記載された紙片を用いかつ前記移動可能端末の操作により、前記決済識別情報が前記移動可能端末に伝達されることを特徴とする請求項２記載の移動可能端末利用決済システム。
【請求項４】
電気的通信手段により前記決済識別情報が前記移動可能端末に伝達されることを特徴とする請求項２記載の移動可能端末利用決済システム。
【請求項５】
各々通信手段を有している店舗サーバと移動可能端末と中継サーバと認証サーバとを利用する移動可能端末利用決済方法において、
決済手続に係る購入物品情報が前記店舗サーバから前記中継サーバへ伝達されたのち、前記移動可能端末に伝達されるプロセスと、
前記購入物品情報に対応する決済用認証情報が前記移動可能端末に入力されたのち、前記移動可能端末から前記中継サーバを介して前記認証サーバに伝達されるプロセスと、
前記認証サーバにて前記決済用認証情報が認証されるプロセスと、
前記認証サーバから前記中継サーバを介して前記店舗サーバに認証結果情報が伝達されるプロセスと
を有することを特徴とする移動可能端末利用決済方法。
【請求項６】
前記決済手続を特定可能な一意の決済識別情報が生成されるプロセスと、
前記決済識別情報が前記移動可能端末に伝達され、さらに前記移動可能端末から前記中継サーバへ伝達されるプロセスと
をさらに有することを特徴とする請求項３記載の移動可能端末利用決済方法。
【請求項７】
前記決済識別情報が前記移動可能端末に伝達されるプロセスが、前記決済識別情報が記載された紙片を用いられかつ前記移動可能端末の操作により該決済識別情報が伝達されるプロセスからなることを特徴とする請求項６記載の移動可能端末利用決済方法。
【請求項８】
前記決済識別情報が前記移動可能端末に伝達されるプロセスが、電気的通信手段が用いられることにより前記決済識別情報が伝達されるプロセスからなることを特徴とする請求項６記載の移動可能端末利用決済方法。
【発明の詳細な説明】
【０００１】
【発明が属する技術分野】
本発明は、携帯電話等に代表される移動可能な端末を用いて商取引の決済をすることができる、移動可能端末を用いた決済システム及び決済方法に関するものである。
【０００２】
【従来の技術】
従来において、商取引を行う際に、物品やサービスの提供者である販売者は、購入者から該物品やサービスに対する対価として金品を受領し決済する。そして、その金品の受領に現金やクレジットカード・デビットカード等が用いられている。
【０００３】
【発明が解決しようとする課題】
しかしながら、現金での決済の場合には、購入者が現金を店舗まで持ち歩く必要があるために、現金の盗難や紛失などの虞があった。また、クレジットカードの場合には、クレジットカードの盗難・紛失の虞があるとともに、クレジットカードに記載・記憶されている会員番号や暗証番号等のクレジットカード固有情報が紛失時や悪質店舗での使用時に窃取され、他者が該クレジットカードの所有者に成りすまし不正に商取引を行う虞や、該クレジットカードの固有情報を基に偽造クレジットカードを作成し悪用する虞があった。また、デビットカードにおいてもクレジットカードと同様の虞があった。
【０００４】
【課題を解決するための手段】
本発明は上記の点を鑑みてなされたものであって、各々通信手段を有している店舗サーバと移動可能端末と中継サーバと認証サーバとからなる移動可能端末利用決済システムにおいて、決済手続に係る購入物品情報が前記店舗サーバから前記中継サーバへ伝達されたのち、前記移動可能端末に伝達され、前記購入物品情報に対応する決済用認証情報が前記移動可能端末に入力されたのち、前記移動可能端末から前記中継サーバを介して前記認証サーバに伝達され、前記認証サーバにて前記決済用認証情報が認証され、前記認証サーバから前記中継サーバを介して前記店舗サーバに認証結果情報が伝達されることにより決済手続を行うことを特徴とする移動可能端末利用決済システムである。
【０００５】
これによって、店舗サーバを有する店舗側に、クレジットカード番号といった購入者の決済用認証情報が知られることがなく、悪質店舗による決済用認証情報の悪用等を防ぐことができる。また、現金やクレジットカード等を紛失すると悪用される虞がある反面、移動可能端末を紛失しても該移動可能端末には決済用認証情報が記憶されていないので悪用される虞がない。
【０００６】
また本発明は、前記決済手続を特定可能な一意の決済識別情報が生成され、該決済識別情報が前記移動可能端末に伝達され、さらに前記移動可能端末から前記中継サーバへ伝達されることを特徴とする移動可能端末利用決済システムである。
【０００７】
これによって、決済手続に対して一意な購入者識別番号が生成されて該購入者識別番号を利用できるので、購入者識別番号を移動可能端末の識別標識として利用することができる。
【０００８】
さらに本発明は、前記決済識別情報が記載された紙片を用いかつ前記移動可能端末の操作により、前記決済識別情報が前記移動可能端末に伝達されることを特徴とするものである。
【０００９】
これによって、購入者が紙片を見て購入者識別番号を確認し移動可能端末に入力することで、移動可能端末が携帯電話やＰＨＳ（パーソナルハンディホンシステム）といった一般的な公衆回線を利用する移動可能端末であっても、購入者の移動可能端末を特定することが可能となり、既存の手段に本発明を容易に適用することができるとともに、この発明である決済システムを容易かつ迅速に普及せしめることができる。
【００１０】
そして本発明は、電気的通信手段により前記決済識別情報が前記移動可能端末に伝達されることを特徴とするものである。
【００１１】
これによって、購入者が操作をせずに、もしくは容易な操作のみで購入者識別番号を確認し移動可能端末に入力することができるので、さらに利便性が高まる。
【００１２】
さらに本発明は、各々通信手段を有している店舗サーバと移動可能端末と中継サーバと認証サーバとを利用する移動可能端末利用決済方法において、決済手続に係る購入物品情報が前記店舗サーバから前記中継サーバへ伝達されたのち、前記移動可能端末に伝達されるプロセスと、前記購入物品情報に対応する決済用認証情報が前記移動可能端末に入力されたのち、前記移動可能端末から前記中継サーバを介して前記認証サーバに伝達されるプロセスと、前記認証サーバにて前記決済用認証情報が認証されるプロセスと、前記認証サーバから前記中継サーバを介して前記店舗サーバに認証結果情報が伝達されるプロセスとからなることを特徴とする移動可能端末利用決済方法である。
【００１３】
これによって、購入者が容易かつ安全に商品・サービスを購入することができ、利便性が高まる。
【００１４】
さらに本発明は、前記決済手続を特定可能な一意の決済識別情報が生成されるプロセスと、前記決済識別情報が前記移動可能端末に伝達され、さらに前記移動可能端末から前記中継サーバへ伝達されるプロセスとをさらに有することを特徴とする移動可能端末利用決済方法である。
【００１５】
これによって、決済手続に対して一意な購入者識別番号が生成されて該購入者識別番号を利用できるので、購入者識別番号を移動可能端末の識別標識として利用することができる。
【００１６】
また本発明は、前記決済識別情報が前記移動可能端末に伝達されるプロセスが、前記決済識別情報が記載された紙片を用いられかつ前記移動可能端末の操作により該決済識別情報が伝達されるプロセスからなることを特徴とするものである。
【００１７】
これによって、購入者が紙片を見て購入者識別番号を確認し移動可能端末に入力することで、移動可能端末が携帯電話やＰＨＳ（パーソナルハンディホンシステム）といった一般的な公衆回線を利用する移動可能端末であっても、購入者の移動可能端末を特定することが可能となり、既存の手段に本発明を容易に適用することができるとともに、この発明である決済システムを容易かつ迅速に普及せしめることができる。
【００１８】
さらに本発明は、前記決済識別情報が前記移動可能端末に伝達されるプロセスが、電気的通信手段が用いられることにより前記決済識別情報が伝達されるプロセスからなることを特徴とするものである。
【００１９】
これによって、購入者が操作をせずに、もしくは容易な操作のみで購入者識別番号を確認し移動可能端末に入力することができるので、さらに利便性が高まる。
【００２０】
【発明の実施の形態】
本発明の実施例を図を用いて説明する。
【００２１】
図１は、本発明の移動可能端末を用いる決済システムの一実施例の構成を示すものである。同図に示す決済システムは、店舗１００と購入者操作用移動可能端末２００と中継サーバである決済センタサーバ３００と認証サーバであるクレジット会社センタサーバ４００と店舗サーバ用通信回線５００と移動可能端末用通信回線６００とクレジット与信用通信回線７００とから構成されている。
【００２２】
店舗１００には一または複数台のレジスタ１１０と店舗サーバ１２０とが配設されており、該店舗サーバ１２０の内部には、商品情報データベース１２１と売上情報データベース１２２と決済情報データベース１２３と情報処理部１２４とが設けられている。また、レジスタ１１０と店舗サーバ１２０とは店舗内通信内線１３０によって通信可能に構成されている。
【００２３】
また、購入者操作用移動可能端末２００が、購入者による操作が可能なように購入者に所持されている。この購入者操作用移動可能端末２００は、携帯電話やＰＨＳ（パーソナルハンディフォンシステム），ＰＤＡや専用端末など、移動させることが可能で購入者が操作することができ、かつ外部と通信可能な端末により構成されている。
【００２４】
一方、決済センタサーバ３００の内部には、情報処理部３０１が設けられている。
【００２５】
また、クレジット会社センタサーバ４００の内部には、与信照会部４０１と会員情報データベース４０２とが設けられている。
【００２６】
一方、店舗１００内の店舗サーバ１２０と決済センタサーバ３００との間には、店舗サーバ用通信回線５００が設けられている。また、購入者操作用移動可能端末２００と決済センタサーバ３００との間に移動可能端末用通信回線６００が設けられている。さらに、決済センタサーバ３００とクレジット会社センタサーバ４００との間には、クレジット与信用通信回線７００が設けられている。
【００２７】
そして、これらの店舗サーバ用通信回線５００や移動可能端末用通信回線６００，クレジット与信用通信回線７００には、それらに適した通信回線（有線通信回線や無線通信回線，インターネットや専用回線等）が用いられる。また、クレジット与信用通信回線７００には、ＣＡＦＩＳ（登録商標）等の専用回線なども用いられる。
【００２８】
次に、この一実施例の決済処理の流れを図２のフローチャートを用いて説明する。まず、店舗１００において販売される種々の商品について、その商品に関する情報（商品コードと商品名，価格，その他付随する種々のデータ等）を、予めレジスタ１１０から入力し店舗内通信内線１３０を介して店舗サーバ１２０の商品情報データベース１２１に順次格納・保存しておく。
【００２９】
そして、購入者が店舗１００に訪れ、商品を購入する際には、レジスタ１１０にて決済が始められる。その際に、商品の包装に印刷されたバーコード等商品識別の標識をレジスタ１１０によって読み込み、もしくは店員によりレジスタ１１０に商品コード等を手入力することにより、商品データと購入される商品の個数とをレジスタ１１０に入力する。
【００３０】
入力された商品データと商品個数とがレジスタ１１０より店舗内通信内線１３０を介して店舗サーバ１２０に伝達される。そして、情報処理部１２４において、伝達されたその商品データと対応する商品データを商品情報データベース１２１より抽出・取得する（ステップ０１）。さらに、該商品データと商品個数とを情報処理部１２４にて一時保持する。
【００３１】
そして、購入者が購入する全ての商品について、上述のステップ０１の処理を繰り返す。全ての商品について該処理が終了した後、情報処理部１２４に一時保存された商品群に関する一または複数の商品データとその各商品の個数と、店舗に関する種々の情報（店舗名やレジスタ番号、担当店員名等）とが購入データとして、店舗サーバ１２０から店舗サーバ用通信回線５００を介して決済センタサーバ３００に送出される。
【００３２】
決済センタサーバ３００に伝達された購入データが、情報処理部３０１にて受領される。次いで、この購入データが情報処理部３０１にて一時保持される。
【００３３】
また、情報処理部３０１で購入データが受領された際に、この購入データに対して一意の購入識別情報が生成される（ステップ０２）。なお、この購入識別情報は前述の購入者操作用移動可能端末２００にて入力可能な数字や文字，記号によって構成される。そして、該購入識別情報が店舗サーバ用通信回線５００を介して店舗サーバ１２０へ送出される。
【００３４】
店舗サーバ１２０にて受領された購入識別情報が店舗内通信内線１３０を介してレジスタ１１０へ伝達される。そして、レジスタ１１０において、該購入識別情報が記載されたレシート紙片の発券を行う（ステップ０３）。さらに、店員により該レシート紙片が購入者に手渡される。
【００３５】
他方、該レシート紙片を店員より受領した購入者が、購入者操作用移動端末２００に予め指定された入力を行うことによって、移動可能端末用通信回線６００を介し決済センタサーバ３００にアクセスする。そして、前述の購入識別情報を入力するための入力欄を購入者操作用移動端末２００において表示するための情報が、決済センタサーバ３００の情報処理部３０１より移動可能端末用通信回線６００を介して購入者操作用移動端末２００へ送出される。
【００３６】
購入者操作用移動端末２００に伝達された決済識別情報入力欄に関する情報により、決済識別情報入力欄が図３に示す該購入者操作用移動可能端末２００のディスプレイ２１０に表示される（ステップ０４）。購入者がこのディスプレイ２１０の決済識別情報入力欄２１１に、購入者操作用移動可能端末２００に配設されているボタンを押下することによって、前述のレシート紙片に記載された決済識別情報を入力（ステップ０５）したのち、ディスプレイ２１０上に表示された送信コマンド２１２に対応する購入者操作用移動可能端末２００のボタン２２１を押下し、決済識別情報を移動可能端末用通信回線６００を介して決済センタサーバ３００へ送出する。
【００３７】
該決済識別情報が決済センタサーバ３００に受領されると、この決済識別情報に対応する購入者に関する購入データの一部または全部が、移動可能端末用通信回線６００を介して購入者操作用移動可能端末２００へ送出され（ステップ０６）、図４に示す購入者操作用移動可能端末２００のディスプレイ２１０に表示される（ステップ０７）。購入者がこのディスプレイ２１０の商品情報表示２１３を確認する。そして、もし表示に誤りがあった場合や購入を取り消す場合には、ディスプレイ２１０上に表示された購入中止コマンド２１４に対応する購入者操作用移動可能端末２００のボタン２２２を押下し、購入ＮＧフラグを移動可能端末用通信回線６００を介して決済センタサーバ３００へ送出する。
【００３８】
一方、購入者が商品購入を承諾する場合には、ディスプレイ２１０上に表示された購入コマンド２１５に対応する購入者操作用移動可能端末２００のボタン２２１を押下し、ディスプレイ２１０上に図５に示すクレジットカード情報入力欄２１６を表示させる（ステップ０８）。次いで、購入者が所有するクレジットカードの会員番号や暗証番号等のクレジットカード認証情報を、購入者操作用移動可能端末２００に配設されているボタンを押下することによって入力する。そして、ディスプレイ２１０上に表示された送信コマンド２１７に対応する購入者操作用移動可能端末２００のボタン２２１を押下し、入力されたクレジットカード認証情報を購入ＯＫフラグとともに移動可能端末用通信回線６００を介して決済センタサーバ３００へ送出する。
【００３９】
決済センタサーバ３００に受領されたフラグより、購入の可否を情報処理部３０１にて判定する（ステップ０９）。フラグが購入ＮＧの場合には、情報処理部３０１にて一時保持していた購入データを基に、店舗１００の店舗サーバ１２０へ店舗サーバ用通信回線５００を介して購入ＮＧフラグを送出する。そして、一時保持されていた購入データが破棄される。さらに、店舗サーバ１２０の情報処理部１２４に購入ＮＧフラグが伝達されると、その情報処理部１２４で保持されていた購入データを基に店舗内通信内線１３０を介して、レジスタ１１０に購入ＮＧフラグが送出されるとともに、一時保持されていた購入データが破棄される。そして、レジスタ１１０に購入中止の表示がなされることによって、購入中止として決済処理が終了する。
【００４０】
一方、フラグが購入ＯＫの場合には、クレジットカード認証情報が情報処理部３０１において一時保持されていた購入データの一部または全部（店舗名や商品代合計額等）が付加されて、クレジット与信用通信回線７００を介してクレジット会社センタサーバ４００に送出される。
【００４１】
クレジット会社センタサーバ４００に伝達されたクレジットカード認証情報と購入データとが与信照会部４０１に伝達される。そして、与信照会部４０１において、クレジットカード認証情報に対応するデータを会員情報データベース４０２より検索・取得し、これら二つのデータを比較することによって与信照会を行う（ステップ１０）。
【００４２】
与信照会の結果、与信非承認の場合には、与信ＮＧフラグが与信照会部４０１からクレジット与信用通信回線７００を介して決済センタサーバ３００に送出される。また、与信承認の場合には、与信ＯＫフラグが与信照会部４０１からクレジット与信用通信回線７００を介して決済センタサーバ３００に送出される。
【００４３】
決済センタサーバ３００に伝達されたフラグより、与信の結果の成否を情報処理部３０１にて判定する（ステップ１１）。フラグが与信ＮＧの場合には、情報処理部３０１にて一時保持していた購入データを基に、店舗１００の店舗サーバ１２０へ店舗サーバ用通信回線５００を介して与信ＮＧフラグを送出する。そして、一時保持されていた購入データが破棄される。さらに、店舗サーバ１２０の情報処理部１２４に与信ＮＧフラグが伝達されると、その情報処理部１２４で保持されていた購入データを基に店舗内通信内線１３０を介して、レジスタ１１０に与信ＮＧフラグが送出されるとともに、一時保持されていた購入データが破棄される。そして、レジスタ１１０に与信非承認の表示がなされることによって、購入不可として決済処理が終了する。
【００４４】
一方、与信承認の場合には、情報処理部３０１にて一時保持していた購入データを基に、店舗１００の店舗サーバ１２０へ店舗サーバ用通信回線５００を介して与信ＯＫフラグを送出する。そして、一時保持されていた購入データが破棄される。さらに、店舗サーバ１２０の情報処理部１２４に与信ＯＫフラグが伝達されると、その情報処理部１２４で保持されていた購入データを基に店舗内通信内線１３０を介して、レジスタ１１０に決済完了フラグが送出されるとともに、一時保持されていた購入データが売上情報データベース１２２と決済情報データベース１２３に格納・保存される（ステップ１２）。
【００４５】
レジスタ１１０では、決済完了フラグを受領すると、領収書であるレシート紙片の発券を行う。該レシート紙片には、店舗名やレジスタ固有番号、商品名や商品コード、商品単価や購入個数のみならず、移動可能端末によるクレジットカード決済に関する情報の内の一部または全部が記載され、また、必要に応じて他の情報も記載される。そして、店員がこのレシート紙片とともに商品を購入者に手渡す。
【００４６】
なお、後日、クレジット会社センタサーバ４００を有するクレジットカード会社が、商品を購入した購入者よりその商品の代金を回収する。そして、該クレジット会社が店舗１００において販売された商品に関して、複数の購入者の商品代金を合算し、店舗１００に支払う。
【００４７】
なお、本発明の一実施例では、購入識別情報を購入者に通知するものとしてレシート紙片が用いられたが、本発明はこれに限定されることはなく、近傍間通信手段といった種々の通信手段を用いることにより、電気的にレジスタから購入者操作用移動可能端末に購入識別情報を通知することもできる。
【００４８】
また、本発明は上記の実施例に限定されることはなく、特許請求の範囲内で種々の変更や応用が可能である。
【００４９】
【発明の効果】
本発明により以下の効果を奏する。
【００５０】
本発明の移動可能端末を用いた決済システムでは、商品の購入者が現金やクレジットカード，デビッドカード等を持ち歩く必要がないため、紛失や盗難の虞がない。なお、本発明の移動可能端末を紛失，盗難にあっても、クレジットカード固有の情報が該移動可能端末には存在しないため、情報漏洩や悪用の虞がない。
【００５１】
また、クレジットカード固有の情報をクレジットカード会社以外では移動可能端末用決済サーバセンタのみ知りうるので、悪質店舗によるクレジットカード固有の情報の窃取を防ぐことができる。
【００５２】
さらに、決済識別情報が紙片や電気的な手段によって購入者に伝達されるので、購入者が決済識別情報を移動可能端末に入力して、その結果携帯電話やＰＨＳ（パーソナルハンディホンシステム）といった既に広く普及している通信手段を利用しても購入者の移動可能端末を特定することができ、この決済システムを容易かつ迅速に普及せしめることができる。
【図面の簡単な説明】
【図１】本発明の一実施例の構成を示す図である。
【図２】本発明の一実施例の処理の流れを示すフローチャートである。
【図３】本発明の一実施例における移動可能端末のディスプレイを示す図である。
【図４】本発明の一実施例における移動可能端末のディスプレイを示す図である。
【図５】本発明の一実施例における移動可能端末のディスプレイを示す図である。
【符号の説明】
１００  店舗
２００  購入者操作用移動可能端末
３００  決済センタサーバ
４００  クレジット会社センタサーバ
５００  店舗サーバ用通信回線
６００  移動可能端末用通信回線
７００  クレジット与信用通信回線
【図１】
2004171276.tif 000003
【図２】
2004171276.tif 000004
【図３】
2004171276.tif 000005
【図４】
2004171276.tif 000006
【図５】
2004171276.tif 000007